(57)【要約】【課題】振動板を強固に支持し、制約されたフレームの外形寸法の範囲内における振動板の設計変更を容易にすると共に、デザイン性の向上を図る。【解決手段】内壁面に係合部６が設けられたフレーム２と、係合部６に係合される平面形状のエッジ部外周縁１０を備えるエッジ部９が設けられた振動板８と、係合部６とエッジ部９との間に形成された間隙に圧入されるフランジ部１５が設けられたガスケット１４とを具備し、振動板８が、ガスケット１４とフレーム２との間で圧接保持される。【選択図】図１
2005318284.tif 000002
【特許請求の範囲】
【請求項１】
内周壁に係合部が設けられたフレームと、
前記係合部の幅寸法より小さい肉厚のエッジ部外周縁を有するエッジ部が設けられた振動板と、
一端側にフランジ部が設けられたガスケットとを具備し、
前記振動板は、前記係合部に前記エッジ部外周縁を係合させ、前記係合部と前記エッジ部外周縁との間に形成された間隙に前記フランジ部を圧入することにより、前記ガスケットと前記フレームとの間で圧接保持されることを特徴とするスピーカ。
【請求項２】
前記エッジ部外周縁の一面側には、前記ガスケットを係止するための突起部が設けられていることを特徴とする請求項１に記載のスピーカ。
【請求項３】
前記突起部は、押圧力に応じて変形可能であることを特徴とする請求項１又は２に記載のスピーカ。
【請求項４】
前記エッジ部外周縁の他面側には、前記突起部の裏側に対応する箇所に凹部が設けられていることを特徴とする請求項１から３のいずれか一項に記載のスピーカ。
【請求項５】
前記フランジ部には、外周方向に突出した突出片が設けられ、
前記フレームの外壁面には、前記突出片を治具により内側へ押し込むための開口部が設けられていることを特徴とする請求項１から４のいずれか一項に記載のスピーカ。
【請求項６】
前記エッジ部及び前記ガスケットは、弾性部材により成形されていることを特徴とする請求項１から５のいずれか一項に記載のスピーカ。
【発明の詳細な説明】
【技術分野】
【０００１】
本発明は、スピーカに係り、特に接着剤を用いずに振動板が支持されるスピーカに関する。
【背景技術】
【０００２】
近年、再生帯域が広く、指向性及び音質等が優れている等の理由から、Ｈｉ−Ｆｉスピーカシステムが利用されており、このスピーカシステムにおける中高音用スピーカの多くは、図１６から図１８に示すように、振動板１０１の外周部に設けられたエッジ部１０２における平面形状のエッジ部外周縁１０３と、フレーム１０４とを接着剤で固着することにより振動板１０１が支持されている。
【０００３】
しかし、接着剤によりフレームに振動板のエッジ部を固定する方法では、使用する接着剤の濃度管理、塗布量、塗布位置の選定等に際し、極めて厳格な管理が求められ、前記した条件が満たされないと、振動板への接着剤の付着状態にバラツキが生じ、振動板の剛性に影響を及ぼして低域特性が変化し、スピーカとしての特性が安定しないと共に、使用した接着剤が経時変化するという問題が生じていた。
【０００４】
そこで、低音域における特性の変化を防止すると共に、スピーカの生産性を大幅に向上させることが可能なスピーカとして、簡易な構造である抑え部材を使用することにより、振動板におけるエッジ部の外周縁を均一に押圧し、振動板を圧接保持するスピーカが開発されている（例えば、特許文献１参照）。
【特許文献１】特開２００２−２４７６８８号公報
【発明の開示】
【発明が解決しようとする課題】
【０００５】
しかしながら、上述した抑え部材による固定構造を採用するスピーカでは、振動板の取り付けの際に水平回動させた場合、振動板が周方向にずれ易く、その結果、振動板がばたついて音質に影響を与えるという問題が生じている。
【０００６】
一方、接着剤による固定構造では、特性が不安定になる等の上記した問題の他に、スピーカの外径寸法が取り付け条件等の関係で制約されているために、フレーム１０４におけるエッジ部１０３との固定位置より外径側にスピーカを取り付けるためのネジ穴１０５を穿設すると、エッジ部を含めた振動板の口径を拡張する等の設計変更が困難になる、またネジ穴１０５に螺合されたネジ１０６が外部に露出することにより、外観上の美感が損なわれるといった問題も生じている。
【０００７】
本発明は前記した点に鑑みてなされたもので、接着剤を用いない簡易な構造により、振動板を強固に支持し、制約されたフレームの外形寸法の範囲内においても振動板の設計変更を容易にすると共に、デザイン性の向上を図るスピーカを提供することを目的とする。
【課題を解決するための手段】
【０００８】
以上の課題を解決するために、請求項１に記載の発明に係るスピーカは、
内周壁に係合部が設けられたフレームと、
前記係合部の幅寸法より小さい肉厚のエッジ部外周縁を有するエッジ部が設けられた振動板と、
一端側にフランジ部が設けられたガスケットとを具備し、
前記振動板が、前記係合部に前記エッジ部外周縁を係合させ、前記係合部と前記エッジ部外周縁との間に形成された間隙に前記フランジ部を圧入することにより、前記ガスケットと前記フレームとの間で圧接保持されることを特徴とする。
【０００９】
請求項２に記載の発明に係るスピーカは、前記エッジ部外周縁の一面側に、前記ガスケットを係止するための突起部が設けられていることを特徴とする。
【００１０】
請求項３に記載の発明に係るスピーカは、前記突起部が、押圧力に応じて変形可能であることを特徴とする。
【００１１】
請求項４に記載の発明に係るスピーカは、前記エッジ部外周縁の他面側に、前記突起部の裏側に対応する箇所に凹部が設けられていることを特徴とする。
【００１２】
請求項５に記載の発明に係るスピーカは、
前記フランジ部に、外周方向に突出した突出片が設けられ、
前記フレームの外壁面には、前記突出片を治具により内側へ押し込むための開口部が設けられていることを特徴とする。
【００１３】
請求項６に記載の発明に係るスピーカは、前記エッジ部及び前記ガスケットが、弾性部材により成形されていることを特徴とする。
【発明の効果】
【００１４】
本発明によれば、内周壁に係合部が設けられたフレームと、係合部の幅寸法より小さい肉厚のエッジ部外周縁を有するエッジ部が設けられた振動板と、一端側にフランジ部が設けられたガスケットとを具備し、振動板が、係合部にエッジ部外周縁を係合させ、係合部とエッジ部外周縁との間に形成された間隙にフランジ部を圧入することにより、ガスケットとフレームとの間で圧接保持されるので、振動板のエッジ部を着脱可能にすることで、フレームにおけるエッジ部との固定位置より内径側にネジ穴を穿設することが可能となり、これによって、制約されたフレームの外形寸法の範囲内においても振動板の設計変更を容易にすると共に、デザイン性の向上を図ることができる。
【００１５】
また、エッジ部外周縁の一面側には、ガスケットを係止するための突起部が設けられているので、間隙に圧入させたガスケットが圧入方向とは反対方向へ移動するのを規制することが可能となり、これによって、ガスケットによる振動板に対する押圧力が維持されて、フレームに対して振動板を強固に圧接保持することができる。
【発明を実施するための最良の形態】
【００１６】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１７】
図１から図１８を参照しながら、本実施形態におけるスピーカを説明する。
図１及び図２に示すように、本発明に係るスピーカ１には、図３に示すようなアルミニウム合金又は亜鉛合金等をダイキャスト成型により成形させた環状のフレーム２が備えられている。このフレーム２の外形は、大きさの異なる略円錐台形の底面同士を接合させた形状に形成されており、フレーム２の内部には、フレーム２の開口面に対して平行な平面を有する段差部３が、周方向に沿って形成されている。また、図４に示すように、段差部３の外径側には、断面形状四角形状の溝４が周方向に沿って形成されており、この溝４の内径側には、フレーム２と取付箇所とを固定するネジを螺合させるためのネジ穴５が、周方向に沿って等角度間隔に離間して穿設されている。さらに、フレーム２の内周壁には、断面形状四角形状の係合部６が周方向に沿って設けられると共に、略正方形状に開口した開口部７が設けられている。
【００１８】
また、フレーム２の段差部３の上面には、図５に示すように、略円錐台形状の振動板８が設けられており、この振動板８によりボイスコイル（図示せず）に入力された電気入力信号から機械振動に変換された振動を入力信号に応じた音声として出力させるようになっている。振動板８の外周部には、図６に示すように、ゴム等の合成樹脂からなる断面形状半円形状のエッジ部９が振動板８と一体となるように周方向に沿って設けられており、このエッジ部９の外周縁であるエッジ部外周縁１０は、平面形状であって、その肉厚が係合部の幅寸法より小さくなるように形成され、フレーム２の内周壁に設けられた係合部６に係合されている。また、エッジ部９のフレーム２の段差部３と対向する面側には、一部を除き断面形状四角形状の凸部１１が周方向に沿って設けられ、凸部が設けられていない箇所には、断面形状三角形状の凹部１２が凹設されている。一方、反対面側には、凹部１２の裏側に対応する箇所に断面形状三角形状の突起部１３が設けられている。
【００１９】
さらに、エッジ部９の突起部１３と対向する側には、図７に示すように、一部が軸方向に切断された環状のガスケット１４が設けられており、このガスケット１４の一端側には、図８に示すように、外方に突出するフランジ部１５が周方向に沿って形成され、このフランジ部１５は、図９から図１１に示すように、フレーム２の係合部６と、エッジ部外周縁１０との間に形成された間隙に圧入されるようになっている。また、切断面の近傍には、フランジ部１５から外方に突出した突出片１６が形成され、フレーム２の開口部７に圧入されるようになっている。
【００２０】
なお、ガスケット１４は、本実施形態に限定されず、振動板８の振幅時におけるエッジ部９のばたつき音等を抑制させる形状であれば、いずれの形状であってもよい。
【００２１】
次に、本実施形態の作用について説明する。
振動板８をフレーム２に固定させる場合には、まず始めに、図１２に示すように、所望する取付箇所に穿設されたネジ穴（図示せず）と、フレーム２の段落部３の上面に穿設されたネジ穴５とを合致させ、これらのネジ穴にネジ１７を螺合することによりフレーム２を取付箇所に固定させる。次に、図１３に示すように、フレーム２の内部に振動板８を導入し、振動板８のエッジ部９に設けられた凸部１１を、フレーム２の段落部３の溝４に一致させると共に、エッジ部外周縁１０をフレーム２の係合部６に係合させる。さらに、図１４に示すように、ガスケット１４をフレーム２の内部に導入し、フレーム２の係合部６と、エッジ部外周縁１０との間に形成された間隙にガスケット１４のフランジ部１５を圧入させ、最後に、突出片１６がフレーム２の開口部７に完全に嵌合されるまで突出片１６を圧入させることで、振動板８がガスケット１４に圧接され、振動板８がフレーム２に支持される。
【００２２】
このとき、ガスケット１４の突出片１６をフレーム２の内壁側から外径方向に圧入するのに伴い、突出片１６が外径方向に移動しながらエッジ部９の突起部１３を押圧することによって、突起部１３が圧縮されて反対面側の凹部１２に向かって変形し、さらに突出片１６を圧入し、突出片１６が開口部７に完全に嵌合されると同時に、突起部１３は突出片１６から受けた押圧力から開放され、その形状が元の状態に戻ることにより、開口部７に嵌合された突出片１６が内径方向に移動することを規制する。
【００２３】
一方、振動板８をフレーム２から外す場合には、フレームの外壁側から開口部７にピン形状の治具を挿入し、図１５に示すように、嵌合されたガスケット１４の突出片１６が、ピン形状の治具でフレーム２の内径方向に押圧されることで、ガスケット１４の突出片１６がフレーム２の開口部７から外され、さらにガスケット１４のフランジ部１５が係合部６から外されて、振動板８がフレーム２の内部から取り出される。
【００２４】
このとき、突出片１６がフレーム２の外壁側から内径方向に押圧されるのに伴い、突出片１６が内径方向に移動されながらエッジ部９の突起部１３を押圧することによって、突起部１３が圧縮されて反対面側の凹部１２に向かって変形し、さらに突出片１６が押圧されて、突出片１６が完全に外れると同時に、突起部１３は突出片１６から受けた押圧力から開放され、形状が元の状態に戻る。
【００２５】
以上より、本実施形態におけるスピーカ１によれば、内周壁に係合部６が設けられたフレーム２と、係合部６の幅寸法より小さい肉厚のエッジ部外周縁１０を有するエッジ部９が設けられた振動板８と、一端側にフランジ部１５が設けられたガスケット１４とを具備し、振動板８が、係合部６にエッジ部外周縁１０を係合させ、係合部６とエッジ部外周縁１０との間に形成された間隙にフランジ部１５を圧入することにより、ガスケット１４とフレーム２との間で圧接保持されるので、振動板８のエッジ部９を着脱可能にすることで、フレーム２におけるエッジ部９との固定位置より内径側にネジ穴５を穿設することが可能となり、これによって、制約されたフレーム２の外形寸法の範囲内においても振動板８の設計変更を容易にすることができる。
【００２６】
また、振動板８におけるエッジ部外周縁１０の一面側には、ガスケット１４を係止するための突起部１３が設けられているので、間隙に圧入させたガスケット１４が内径方向へ移動するのを規制することが可能となり、これによって、ガスケット１４による振動板８に対する押圧力が維持されて、フレーム２に対して振動板８を強固に圧接保持することができる。
【図面の簡単な説明】
【００２７】
【図１】本発明に係るスピーカを示す平面図である。
【図２】本発明に係るスピーカを示す斜視図である。
【図３】本発明に係るスピーカに具備されるフレームを示す斜視図である。
【図４】本発明に係るスピーカに具備されるフレームの断面を示す斜視図である。
【図５】本発明に係るスピーカに具備される振動板を示す斜視図である。
【図６】本発明に係るスピーカに具備される振動板の断面を示す斜視図である。
【図７】本発明に係るスピーカに具備されるガスケットを示す斜視図である。
【図８】本発明に係るスピーカに具備されるガスケットの断面を示す斜視図である。
【図９】本発明に係るスピーカを示す縦断面図である。
【図１０】本発明に係るスピーカにおけるガスケットの突出片の断面を示す斜視図である。
【図１１】本発明に係るスピーカにおけるガスケットの突出片以外の断面を示す斜視図である。
【図１２】本発明に係るスピーカの取り付け作業の態様を示す斜視図である。
【図１３】本発明に係るスピーカの取り付け作業の態様を示す斜視図である。
【図１４】本発明に係るスピーカの取り付け作業の態様を示す斜視図である。
【図１５】本発明に係るスピーカの取り外し作業の態様を示す斜視図である。
【図１６】従来技術におけるスピーカを示す斜視図である。
【図１７】従来技術におけるスピーカを示す平面図である。
【図１８】従来技術におけるスピーカの取り付け部を拡大した拡大図である。
【符号の説明】
【００２８】
１  スピーカ
２  フレーム
６  係合部
７  開口部
８  振動板
９  エッジ部
１０  エッジ部外周縁
１２  凹部
１３  突起部
１４  ガスケット
１５  フランジ部
１６  突出片
【図１】
2005318284.tif 000003
【図２】
2005318284.tif 000004
【図３】
2005318284.tif 000005
【図４】
2005318284.tif 000006
【図５】
2005318284.tif 000007
【図６】
2005318284.tif 000008
【図７】
2005318284.tif 000009
【図８】
2005318284.tif 000010
【図９】
2005318284.tif 000011
【図１０】
2005318284.tif 000012
【図１１】
2005318284.tif 000013
【図１２】
2005318284.tif 000014
【図１３】
2005318284.tif 000015
【図１４】
2005318284.tif 000016
【図１５】
2005318284.tif 000017
【図１６】
2005318284.tif 000018
【図１７】
2005318284.tif 000019
【図１８】
2005318284.tif 000020